(57)【特許請求の範囲】
【請求項１】
天井フレームに設けられた凹部にボルトの固定端を取り付け、当該取り付けられたボルトを用いて天井フレームに可動間仕切壁の保持部材を取り付ける保持部材の取り付け構造において、
前記天井フレームと前記保持部材との間に、パネルに設けた弾性変形可能なフック部と鍔部とによって前記天井フレームを上下から挟むことにより前記天井フレームに取り付けられている前記パネルの鍔部を挟んだ状態で前記ボルトにより前記保持部材を取り付けるものであり、
前記ボルトを、ネジ部と固定端との間に当該ネジ部より大きな径を有するボルトで構成し、前記凹部に固定端を取り付けたボルトに可動間仕切壁の保持部材を取り付けてナット部材で固定し、
前記ネジ部より大きな径を有する部分を、凹部の若干開口縁部の奥方に位置させたことを特徴とする保持部材の取り付け構造。
【請求項２】
請求項１記載の保持部材の取り付け構造に用いるボルトであって、
前記凹部に取り付けるための固定端と、当該固定端とネジ部との間に設けられ、当該ネジ部より大きな径を有する大径部を設けたことを特徴とするボルト。
【請求項３】
前記ボルトが、前記固定端を凹部に固定した状態で、前記ネジ部より大きな径を有する大径部を前記凹部の開口縁部内に位置させたボルトであることを特徴とする請求項２に記載のボルト。
【発明の詳細な説明】
【０００１】
【発明の属する技術分野】
本発明は、天井フレームに可動間仕切壁の天井レールを取り付けるための構造などに関するものである。
【０００２】
【従来の技術】
従来、天井フレームに可動間仕切壁の天井レールを取り付ける場合、まず、その天井フレームの下方にスリット状に開口する凹部を設けておき、この凹部の内側にボルトを固定して可動間仕切壁の天井レールを取り付けるようにしている。そして、この天井フレームの凹部にボルトを取り付ける際、スリット状に開口する開口縁部の幅に対応して固定端である細長状のフランジ部をボルトに設けておき、そのフランジ部をスリット状の開口縁部に挿入して奥方で回転させ、その凹部の内側に設けられた係止片にフランジ部を引っ掛けて固定するようにしている。そして、このように固定されたボルトに可動間仕切壁の天井レールを取り付け、ナット部材を用いて固定するようにしている。
【０００３】
【発明が解決しようとする課題】
ところが、このような天井フレームに可動間仕切壁の天井レールを取り付ける場合、そのボルトとして、フランジ部に直接ネジ部を設けたボルトを使用していたため、このフランジ部を凹部の係止片に引っ掛けてナット部材で締め付けた場合、この係止片を挟んで天井レールとフランジ部とが互いに強い力で引き寄せられ、天井レールやフランジ部もしくは係止片に変形を生ずる可能性がある。
【０００４】
そこで、本発明は、以上のような不具合に着目してなされたもので、天井フレームの凹部に取り付けられたボルトを用いて可動間仕切壁の保持部材を取り付ける際、各部に変形を生じさせない保持部材の取り付け構造などを提供することを目的とするものである。
【０００５】
【課題を解決するための手段】
すなわち、本発明は上記課題を解決するために、天井フレームに設けられた凹部にボルトの固定端を取り付け、当該取り付けられたボルトを用いて天井フレームに可動間仕切壁の保持部材を取り付ける保持部材の取り付け構造において、前記天井フレームと前記保持部材との間に、パネルに設けた弾性変形可能なフック部と鍔部とによって前記天井フレームを上下から挟むことにより前記天井フレームに取り付けられている前記パネルの鍔部を挟んだ状態で前記ボルトにより前記保持部材を取り付けるものであり、前記ボルトを、ネジ部と固定端との間に当該ネジ部より大きな径を有するボルトで構成し、前記凹部に固定端を取り付けたボルトに可動間仕切壁の保持部材を取り付けてナット部材で固定し、前記ネジ部より大きな径を有する部分を、凹部の若干開口縁部の奥方に位置させたことを特徴とする。この径の大きな部分によってナット部材の過剰な締め付けを規制して、可動間仕切壁の保持部材の変形などを防止するようにしたものである。
【０００６】
【発明の実施の形態】
以下、本発明の一実施形態について図面を参照して説明する。図１は、スチール製パネルＳＰを取り付ける前の天井材１の構造を示したものであり、図２は、この図１に示す天井フレーム２にスチール製パネルＳＰ、および、保持部材たる可動間仕切壁の天井レール９を取り付けた状態を示したものである。また、図３は、そのボルト８の取り付け部分の拡大図を示したものであり、図４は、その天井レール９を取り付けるためのボルト８の構成を示したものである。
【０００７】
この天井材１は、図１や図２に示すように、格子状に枠組みした天井フレーム２と、この天井フレーム２を構成するメインバー２１およびクロスバー２２の下方にスリット状の開口縁部２１１ｄを有する凹部２１１ｃを設け、この凹部２１１ｃの内側に設けられた係止片２０に、ボルト８のフランジ部８０を引っ掛け、このようにして取り付けられたボルト８に対して可動間仕切壁の天井レール９をナット部材８３で締め付けて固定できるようにしたものである。以下、この天井材１の各構成について具体的に説明する。
【０００８】
この天井フレーム２は、複数の長尺状のメインバー２１間にクロスバー２２を取り付けて格子状に構成したものである。この天井フレーム２のうちメインバー２１は、その下方に下向き略コの字状の凹部２１１ｃを有する金属製のフレーム部２１１と、このフレーム部２１１をハンガー３によって保持するための保持片２１２および保持部２１３とによって構成したものであり、このフレーム部２１１の凹部２１１ｃの開口縁部２１１ｄを避けるようにスチール製パネルＳＰの鍔部ＳＰ１を接触させ、また、このフレーム部２１１の支持面２１１ａに図示しない岩綿製パネルを支持させるようにしたものである。一方、このメインバー２１に直交して設けられるクロスバー２２は、メインバー２１と同じ断面形状および材質を有するように保持片２２２や保持部２２３を設けたものであり、メインバー２１よりも短く切断し、この切断されたメインバー２１をブラケット６でメインバー２１の間に取り付けられるようにしたものである。そして、このように枠組みされたメインバー２１とクロスバー２２を、それらのフレーム部２１１・２２１の上下端を揃えた状態でハンガー３によって天井から吊り下げている。
【０００９】
このハンガー３は、天井に取り付けられたボルト３１と、このボルト３１と天井フレーム２とを連結する吊下部材３２とを具備しており、ハンガー３によって天井フレーム２を吊り下げるに際して、吊下部材３２によって天井フレーム２の保持部２１３・２２３を保持し、一方、この吊下部材３２の上側に設けられた屈曲部分をボルト３１に貫通させ、ナット部３３材でこの屈曲部分を上下動させて天井フレーム２の高さ位置を調節できるようにしたものである。
【００１０】
このように吊下げられた天井フレーム２は、その端部を連結部材５によって固定されている。この連結部材５は、側面視略Ｌ字状に構成した縁部材４の形状に対応して設けられたものであり、縁部材４に接触するようにした取付部５１と、この取付部５１から直角に折り曲げて構成した連結部５２によって構成されたものである。そして、この取付部５１の上下先端部分を、縁部材４の端部に設けた折り返し部４１ａに位置させてスライドできるようにし、この連結部材５を適所にスライドさせた後に、この取付部５１に設けられたネジ孔５１１にビス５１２を通して、このビス５１２のねじ込み動作によって連結部材５を固定できるようにしている。また、この取付部５１の前方に設けた連結部５２には、その上下に屈曲形状を有する変形部５２１ａ・５２１ｂを設けており、この変形部５２１をプライヤなどによって平坦状に塑性変形させることによって連結部材５の上辺部分もしくは下辺部分から突出させるようにしている。そして、この連結部材５を用いて天井フレーム２を水平状に取り付ける場合、上側の変形部５２１ａを平坦状に塑性変形させて上辺部分から突出させ、この突出する変形部５２１ａによって天井フレーム２の保持部２１３を持ち上げて水平な状態にする。一方、天井フレーム２の端部を下方に位置させて傾斜させる場合、上側の変形部５２１ａを突出させない状態にして天井フレーム２の端部位置を下げ、また、天井フレーム２とのがたつきを少なくするために下側の変形部５２１ｂを突出させてフレーム部２２１の支持面２２１ａに接触させるようにしている。
【００１１】
一方、この連結部材５を保持している縁部材４は、天井の縁部側壁側に設けられる枠材Ｗや側壁などに取り付けられるものであって、側面視略Ｌ字状の形状に構成してその下端の化粧片４１にスチール製パネルＳＰなどを載せてパネルの端部を覆うようにようにしたものである。この化粧片４１は、その上部をメインバー２１およびクロスバー２２の下端部分より若干下方に設けており、具体的には、この天井フレーム２に取り付けられるスチール製パネルＳＰの鍔部ＳＰ１の上下厚み寸法分だけ天井フレーム２の下方にその化粧片４１の上部を位置させている。これによって、スチール製パネルＳＰを取り付けた場合に、その天井面を水平な状態に保てるようにしている。
【００１２】
また、この縁部材４には、それぞれ連結部材５の間にスチール製パネルＳＰなどを押圧するためのボーダーバネ７を取り付けている。このボーダーバネ７は、その弾性力によってスチール製パネルＳＰなどを下方および側方に押圧するようにしたものであり、このボーダーバネ７を上下反転させて取り付けることによって、スチール製パネルＳＰ及びこれと異なる天井パネルを押圧できるようにしたものである。すなわち、スチール製パネルＳＰを取り付ける場合は、その鍔部ＳＰ１の肉厚に対応して縁部材４の化粧片４１とボーダーバネ７の押圧面との間を狭くして押圧できるようにする一方、このスチール製パネルＳＰより厚目の天井パネルを取り付ける場合は、その端部の肉厚に対応して縁部材４の化粧片４１とボーダーバネ７の押圧面との間を大きくして押圧できるようにしている。そして、このボーダーバネ７を取り付ける際、天井パネルの取り付け動作とボーダーバネ７の嵌め込み動作を同時に行なえるように、あらかじめ縁部材４の折り返し部４１ａにボーダーバネ７のそれぞれの端部を引っ掛けて斜めにしておき、スチール製パネルＳＰなどを取り付ける場合に、それらのパネルの端部でボーダーバネ７を押し込んで、ボーダーバネ７を押圧位置まで嵌め込めるようにしている。
【００１３】
この天井材１に取り付けられるスチール製パネルＳＰは、スチール板を折り曲げて構成しており、平面状に構成したスチール板の四辺を折り曲げて鍔部ＳＰ１と起立部ＳＰ２を設け、この起立部ＳＰ２の適所にフック部ＳＰ２１を設けてフレーム部２１１・２２１に対して弾性的に取り付けられるようにしている。
【００１４】
また、この天井材１に可動間仕切壁の天井レール９を取り付けるためのボルト８は、次のように構成されている。
【００１５】
すなわち、このボルト８は、凹部２１ｃに挿入可能な細長状のフランジ部８０を有するネジ部８２と、このネジ部８２とフランジ部８０との間に設けられた規制部８１とを具備してなるものである。このフランジ部８０は、天井フレーム２の下方に設けられた開口縁部２１１ｄに挿入しうる細長状の平行四辺形に構成したものであり、このフランジ部８０を開口縁部２１１ｄから挿入してその奥方で回転させ、そのフランジ部８０の二辺を凹部２１１ｃの内側に接触させるとともに、このボルト８の自重によってフランジ部８０を係止片２０に支持させて下方に離脱しないようにしたものである。また、このフランジ部８０とネジ部８２との間に設けられた規制部８１は、ネジ部８２よりも大きな径を有する円柱状の大径部に構成するものであり、この規制部８１とネジ部８２との段差部分をボルト８の回転軸に対して直交して設け、また、この規制部８１の高さについても、フランジ部８０を係止片２０に引っ掛けた場合に、その段差部分が開口縁部２１１ｄよりも若干開口縁部２１１ｄの奥方に位置するように設けている。そして、このようにして規制部８１を設けることによって、ナット部材８３で締め付ける際、天井レール９の上面が規制部８１の段差部分に接触し、無制限な締め付けを防止するとともに、フランジ部８０や、係止片２０、天井レール９の過度の撓みなどを防止できるようにしている。
【００１６】
また、このボルト８によって天井フレーム２に取り付けられる天井レール９は、可動間仕切壁の上端部分を挟み込めるように下向コの字状に形成したものであり、ボルト８を貫通させるための孔部を適所に設け、この孔部にボルト８のネジ部８２を貫通させてナット部材８３を用いて下方から締め付けられるようにしたものである。
【００１７】
次に、天井材１を組み立てて、この天井材１に天井パネルや可動間仕切壁の天井レール９を取り付ける方法について説明する。
【００１８】
まず、天井材１を組み立てる場合、メインバー２１とクロスバー２２を格子状に枠組みして天井フレーム２を構成し、この天井フレーム２をハンガー３によって天井から吊下げる一方、この天井フレーム２の端部を覆うように縁部材４を取り付ける。そして、この状態でハンガー３に設けられたナット部材３３を用いて天井フレーム２の高さを調節し、天井フレーム２の下端と化粧片４１の折り返し部４２ａとの間にスチール製パネルＳＰの鍔部ＳＰ１厚み幅分のギャップを設ける。また、この際、他のメインバー２１やクロスバー２２の取り付け角度なども調整する。そして、この天井フレーム２にスチール製パネルＳＰを取り付ける場合は、連結部材５の上側の変形部５２１ａをプライヤなどによって平坦状に塑性変形させて上辺部から突出させ、この連結部材５を縁部材４の折り返し部４１に嵌め込む。そして、この連結部材５を適所にスライドさせてクロスバー２２の保持片２２２などに接触させ、この突出する変形部５２１ａの上端にクロスバー２２の保持部２２３の下面部２２３ａを載せるとともに、この連結部材５の下片部分をフレーム部２２１の支持面２２１ａに接触させた状態で連結部材５を固定する。
【００１９】
そして、このように枠組みされた天井フレーム２にスチール製パネルＳＰを取り付ける場合、天井フレーム２の周辺部分を除く内方の開口部分から順にスチール製パネルＳＰを下方から嵌め込み、最後に、天井フレーム２の周辺部分に位置する開口部分の形状に合わせてスチール製パネルＳＰを切断し、そのスチール製パネルＳＰを下方から嵌め込む。なお、内方の開口部分にスチール製パネルＳＰを取り付ける場合には、天井フレーム２の下方からスチール製パネルＳＰを鉛直方向に押し上げ、フック部ＳＰ２１の弾性変形を利用してこのフック部ＳＰ２１と鍔部ＳＰ１とによってフレーム部２１１・２２１を挟み込む。一方、端部周辺の開口部分にスチール製パネルＳＰを取り付ける場合は、まず、縁部材４側に位置するスチール製パネルＳＰの端部をボーダーバネ７側に下側から押し込み、ボーダーバネ７の押圧面によってスチール製パネルＳＰの上面および端部を押圧させる。その後、天井フレーム２側の各辺を上方に押し上げ、このボーダーバネ７による側方への押圧力およびフック部ＳＰ２１の弾性変形などによってこのスチール製パネルＳＰを取り付ける。
【００２０】
そして、このような天井材１に可動間仕切壁の天井レール９を取り付ける場合、スリット状に開口している開口縁部２１１ｄにボルト８のフランジ部８０を挿入し、天井フレーム２の係止片２０の奥方でフランジ部８０を回転させる。そして、そのボルト８の自重によって、フランジ部８０を凹部２１１ｃの係止片２０に支持させ、更に、そのボルト８を可動間仕切壁の天井レール９の孔部に対応した位置にスライドさせる。そして、そのボルト８を天井レール９の孔部に貫通させてナット部材８３で締め付け、この締め付けに伴う天井レール９やフランジ部８０、もしくは係止片２０の変形をこのボルト８の規制部８１で規制する。すなわち、ナット部材８３を大きなトルクで締め付けた場合、係止片２０を挟んで、天井レール９とフランジ部８０が互いに近づくように撓み、また、これに伴って、係止片２０にも挟み込み力が作用して変形を生じるようになる。しかし、このナット部材８３をある程度回転させた場合、天井レール９の上面とボルト８の規制部８１が接触して、ナット部材８３の回転が規制され、これによって、大きなトルクで締め付けた場合であっても、天井フレーム２やフランジ部８０、もしくは係止片２０の過度の撓みを防止できるようにしている。
【００２１】
このように、上記実施の形態によれば、ネジ部８２より径の大きい規制部８１を有するフランジ付きボルト８を設け、このボルト８の固定端であるフランジ部８０を天井フレーム２の凹部８１に取り付けて、天井レール９をナット部材８３で締め付けるようにしたので、その規制部８１によってナット部材８３の無制限な締め付けを防止することができ、天井レール９やフランジ部８０、係止片２０などの過度な変形を未然に防止することができるようになる。
【００２２】
なお、本発明は上記実施の形態に限定されることなく、種々変更することができる。すなわち、上記実施の形態では、フランジ部８０を平行四辺形状に設けるようにしたが、これに限らず、図５や図６に示すような形状のボルト８ａ、８ｂを用いても良い。この場合、図５に示すように、細長状のフランジ部８０ａの外周部分を円弧状にした場合は、フランジ部８０ａの回転方向に依存することなく係止部２０に引っ掛けることができ、また、図６に示すように、細長状に設けたフランジ部８０ｂの端部をネジ部側に屈曲させた屈曲部分８００を設けた場合は、この屈曲部分８００を係止部２０に引っ掛けることによって、確実に天井フレーム２に引っ掛けることができるようになる。更に、別のフランジ部の形態として規制部８１の両側にネジ部を設け、一方のネジ部を凹部２１１ｃにネジ止めして一方を固定端とする方法や、フランジ部８０、８０ａ、８０ｂを設けることなく直接規制部８１を溶接して固定するようにしても良い。また、本実施の形態では、保持部材として天井レール９を用いて説明したが、レール形状を有しているものに限らず、間欠的に可動間仕切壁を支持するような部材を用いることもできる。
【００２３】
【発明の効果】
本発明は、以上説明したような形態で実施され、以下に記載されるような効果を奏する。
【００２４】
すなわち、本発明では、天井フレームの凹部にボルトの固定端を取り付けて、可動間仕切壁の保持部材を取り付けるようにしたものにおいて、そのボルトとして、ネジ部と固定端との間にネジ部よりも径の大きな部分を有するボルトを使用するようにしたので、この径の大きな部分によってナット部材の過度な締め付けを防止し、可動間仕切壁の保持部材などの過度な変形を防止することができる。
【図面の簡単な説明】
【図１】本発明の一実施の形態を示す天井材の断面概略図。
【図２】図１における天井材にスチール製パネルおよび天井レールを取り付けた状態図。
【図３】図２の天井レールの取り付け部近傍を拡大した図。
【図４】同形態における天井レールを取り付けるためのボルトを示した図。
【図５】本発明の第二の実施の形態を示すボルトを示す図。
【図６】本発明の第三の実施の形態を示すボルトを示す図。
【符号の説明】
２・・・天井フレーム
２１１ｃ・・・凹部
８・・・ボルト
９・・・保持部材（天井レール）
８０・・・固定端（フランジ部）
８１・・・規制部
８２・・・ネジ部
【図１】
0004565778.tif 000002
【図２】
0004565778.tif 000003
【図３】
0004565778.tif 000004
【図４】
0004565778.tif 000005
【図５】
0004565778.tif 000006
【図６】
0004565778.tif 000007